(57)【特許請求の範囲】
【請求項１】
排紙チェーンに設けられ紙をくわえる排紙爪と、この排紙爪による紙のくわえを解放する紙放し手段と、解放された紙を積載するパイルと、このパイル上に積載される紙の後端縁が当接する紙当てとを備えた枚葉印刷機の排紙装置において、前記紙当てより紙搬送方向下流側であって積載紙の上方に位置するエア吹きノズルを設け、このエア吹きノズルを積載紙の上面に吹き付けるエアによってパイル上に積載された積載紙とパイル上に積載される紙との間に滞留するエアを放出するように指向させたことを特徴とする枚葉輪転印刷機の排紙装置。
【請求項２】
請求項１記載の枚葉輪転印刷機の排紙装置において、エア吹きノズルを紙の幅方向の略中央に１個設け、このエア吹きノズルからの平面視におけるエアの吹き出し方向を拡散させたことを特徴とする枚葉輪転印刷機の排紙装置。
【発明の詳細な説明】
【０００１】
【発明の属する技術分野】
本発明は、枚葉輪転印刷機の排紙装置に関する。
【０００２】
【従来の技術】
枚葉輪転印刷機において、印刷装置で印刷された紙は、印刷胴の爪から排紙チェーンの排紙爪にくわえ替えられ、排紙チェーンの走行によって搬送されたのち、搬送終端部の紙放しカムによるカム作用によって排紙爪から解放されて排紙装置のパイル上に落下し、積載される。この場合、排紙爪にくわえられた紙が厚みの薄い薄紙であって、しかも印刷速度が高速になると、パイル上に積載される紙の中央部分のエアが紙の端縁から抜けきらずに滞留し、中央部分が膨らんで膨出部が形成されてしまう。このため、パイル上での紙の天地方向、左右方向の寸法が小さくなり、紙当て、横当てによる紙の揃えが的確に行われずに、紙揃え不良が発生する。
これを防止するものとして、実開昭５９−２７４７号公報に提案されたものがある。ここに提案されたものは、パイルの上方に配設した複数の扇風機から下方に吹き出されたエアによってパイル上に積載された紙の中央部分を押圧し、中央部分に滞留したエアを紙の端縁から放出するように構成したものである。
【０００３】
【発明が解決しようとする課題】
しかしながら、上述した従来の枚葉輪転印刷機の排紙装置においては、パイルの上方からエアを吹き付ける構造としているので、印刷速度が高速になるにしたがい、エアの吹き付けが充分に行われないうちに、次に搬送されてきた紙が前の紙と扇風機との間に入込み、エアの吹き付けを遮断してしまう。このため、前の紙へのエアの吹き付けが充分に行われないままパイル上に積載されてしまうので、依然として紙揃え不良が発生していた。
【０００４】
本発明は上記した従来の問題に鑑みなされたものであり、その目的とするところは、パイル上での紙揃え不良の発生を防止した枚葉輪転印刷機の排紙装置を提供することにある。
【０００５】
【課題を解決するための手段】
この目的を達成するために、本発明に係る枚葉輪転印刷機の排紙装置は、排紙チェーンに設けられ紙をくわえる排紙爪と、この排紙爪による紙のくわえを解放する紙放し手段と、解放された紙を積載するパイルと、このパイル上に積載される紙の後端縁が当接する紙当てとを備えた枚葉印刷機の排紙装置であって、前記紙当てより紙搬送方向下流側であって積載紙の上方に位置するエア吹きノズルを設け、このエア吹きノズルを積載紙の上面に吹き付けるエアによってパイル上に積載された積載紙とパイル上に積載される紙との間に滞留するエアを放出するように指向させたものである。
【０００６】
【発明の実施の形態】
以下、本発明の実施の形態を図に基づいて説明する。図１は本発明に係る枚葉輪転印刷機の排紙装置の側面図、図２は同じく平面図、図３は同じく要部を拡大し一部を破断して示す側面図、図４は同じく紙へのエアの吹き付け状態を説明する模式図である。
図１および図２において、符号２で示す枚葉輪転印刷機の排紙装置は、左右一対の排紙フレーム３，３を備えており、これら左右の排紙フレーム３，３の後部に軸支された軸４ａに左右一対のスプロケット４，４（一方は図示を省略）が軸着されている。
【０００７】
このスプロケット４と図示を省略した最終印刷胴に対接する排紙胴と同軸上に設けられたスプロケット（図示せず）との間には、左右一対の排紙チェーン５，５（一方は図示を省略）が上下のチェーンガイド６ａ，６ｂに案内されるようにして張架されている。これら左右の排紙チェーン５，５は、原動側からの駆動でスプロケット４が回転することによって図中矢印Ａ方向に走行し、左右の排紙チェーン６間には、紙をくわえて搬送する従来から広く知られている爪と爪台からなる排紙爪部材８が、紙搬送方向Ａ方向に一定の間隔で支架されている（図中には１個のみ図示）。
【０００８】
９は積載板１０とこの積載板１０上に載置された紙積台１１とからなるパイルであって、積載板１０がチェーン１２によって上方から吊り下げられている。紙積台１１上には、パイル９の上方に設けられた紙放しカム（図示を省略）によって走行する排紙爪部材８にくわえられ解放される紙が積載され、図示を省略した検知手段によって積載された紙の高さが一定に保たれるように、昇降機構によって積載板１０が昇降するように構成されている。
【０００９】
１５はパイル９の後端部上方に設けられた紙当てであって、排紙爪部材８のくわえから解放され落下する紙が紙積台１１の積載紙１３上に落下するときにその先端を当てて紙の天地方向を揃えるものである。１６は左右一対の横当てであって、積載紙１３の幅方向に揺動駆動され、紙積台１１の積載紙１３上に落下した紙の両側端に当接して紙の幅方向を揃えるものである。１７は吸引装置であって、排紙爪部材８によってくわえられて搬送される紙のくわえ端以外を吸引するもので、カバー１９の窓に臨む吸引車１８が備えられている。この吸引装置１７は、紙のサイズによって積載紙１３の天地方向に移動自在に調整できるように構成されている。すなわち、２１は一方の排紙フレーム３に固定されたブラケット２２およびギアボックス２３に軸支されたねじ軸であって、図示を省略した原動側と駆動源連結され、先端にかさ歯車２４が軸着されている。
【００１０】
２６はギアボックス２３と他方の排紙フレーム３に固定されたギアボックス２９に軸支された伝達棒であって、一端にかさ歯車２４に噛合するかさ歯車２７が軸着され、他端にかさ歯車２８が軸着されている。３１はギアボックス２９と他方の排紙フレーム３に固定されたブラケット３３とに軸支されたねじ棒であって、一端にかさ歯車２８に噛合するかさ歯車３４が軸着されている。吸引装置１７は両ねじ棒２１，３１のねじ部２１ａ，３１ａに螺合する軸受３５，３６を介して両ねじ棒２１，３１に支持されている。両ねじ棒２１，３１は、原動側からの駆動により、伝達棒２６を介して同期回転し、この同期回転によって吸引装置１７は紙サイズに対応して紙の天地方向に移動する。
【００１１】
排紙フレーム３，３の後端部には、角ステー４０が横架され、この角ステー４０上には、この角ステー４０と同じ長さの角筒４１が固定されている。４２は角筒４１内に固定されたパイプであって、角筒４１の全長にわたって延在し、一端が一方の排紙フレーム３ｂから外側に導出され、導出された端部には図示を省略した吐出ポンプが接続されている。このパイプ４２の長手方向の略中央の上端には通気孔４２ａが穿設され、角筒４１にはこの通気孔４２ａに連通する連通孔４１ａが穿設されている。
【００１２】
この連通孔４１ａに対応した角筒４１上にはエア吹きノズル４３が立設されている。このエア吹きノズル４３には、連通孔４１ａに連通する下端が開口した中空部４３ａと、この中空部４３ａに連通するスリット状の吹出し孔４３ｂとが形成されている。この吹出し孔４３ｂは紙当て１５の後方であって積載紙１３の上方に位置付けられているとともに、吹出し孔４３ｂから吹き出された吹き出しエア４５が積載紙１３の上面に吹き付けられるように指向している。すなわち、側面視において、吹き出しエア４５が水平面に対して角度α斜め下方に吹き出されるととも、図２に示すように平面視において角度βの扇形状の拡がりをもって吹き出されるように形成されている。
【００１３】
次に、このように構成された枚葉輪転印刷機の排紙装置の排紙動作を説明する。印刷開始ボタンを操作すると本機モータが回転して印刷が開始されるとともに、図示を省略した吐出ポンプが作動し、吐出エアがパイプ４２内に供給される。図示しない印刷装置で印刷された紙は、印刷胴のくわえ爪装置から排紙チェーン５の排紙爪部材８の爪と爪台とにくわえ替えられ、排紙チェーン５の走行によってパイル９の上方に搬送される。排紙爪部材８が紙放しカム（図示せず）に対向すると、カム作用によって排紙爪部材８の爪が開方向に回動し紙がくわえから解放されるので、紙は落下しながら先端が紙当て１１に当たり、紙の天地方向が揃えられてパイル９上に積載され、横当て１６によって紙の幅方向が揃えられる。
【００１４】
パイプ４２に供給された吐出エアが通気口４２ａ、連通孔４１ａを通ってエア吹きノズル４３の中空部４３ａに供給され、パイル９上の積載紙１３上に積載される紙１３Ａの上面の略中央に、吹出し孔４３ｂから吹き出される。図４に示すように、吹き出されたエア４５は、積載される紙１３Ａの上面に吹き付けられるので、紙１３Ａと積載紙１３との間に滞留するエア４６によって上方に膨出した紙１３Ａの中央部分を押圧するので、エア４６は紙１３Ａの端縁から放出される。したがって、エア４６によって中央部分が膨出することによって紙１３Ａの前後、左右の寸法が短くなるというようなことが防止できるので、紙１３Ａは紙当て１５および横当て１６によって天地方向および幅方向が揃えられ、このため不揃いになるようなことがない。
【００１５】
ここで、エア吹きノズル４３が従来のエア吹きノズル５０のように、吹き出しエア４５をパイル９の真上から紙１３Ａに吹き付けるのではなく、紙当て１５の後方であってパイル９の上方から紙１３Ａの上部に吹き付けられるように構成されている。したがって、次の紙１３Ｂが排紙爪部材８によってパイル９の上方に搬送され、エア吹きノズル４３と紙１３Ａとの間を遮断するときに、従来のエア吹きノズル５０の場合と比較して次の紙１３Ｂによって遮断される時間がＴだけ遅れる。このため、吹き出しエア４５の吹き付け時間がこの時間Ｔだけ余計に紙１３Ａに吹き付けられるので、紙１３Ａの下方に滞留したエア４６の放出が確実に行われる。
【００１６】
また、吹き付けノズル４３からの吹き出しエア４５は、吹き出されてから多少拡散されて紙１３Ａに吹き付けられる。この場合の拡散角度をδとすると、本願のエア吹きノズル４３から吹き出されて拡散した吹き出しエア４５ａが紙１３ａに吹き付ける範囲Ｌは、従来の吹き付けノズル５０による吹き付ける範囲ｌと比較して大きくなる。このため、吹き付けエア４５が紙１３Ａの膨出部の全体にわたって吹き付けられるので、エア４６の部分的な滞留を防止でき、エア４６の放出が円滑に行われる。
【００１７】
また、図２に示すように、エア吹きノズル４３からの吹き出しエアが、平面視において角度βなる扇形状の拡がりをもって吹き出されるように形成されている。このため、エア吹きノズル４３が１個のみしか設けていないにもかかわらず、吹き出しエア４５が紙１３Ａの膨出部の全体にわたって吹き付けられるので、最小限の部品点数によってエア４６の部分的な滞留を防止でき、エア４６の放出が的確に行われる。
【００１８】
なお、本実施の形態では、吹き付けノズル４３を角筒３９の略中央に１個のみ設ける構造としたが、必要に応じて角筒３９の長手方向に複数個設けてもよい。
【００１９】
【発明の効果】
以上説明したように本発明によれば、積載紙の不揃いが防止される。
【００２０】
また、本発明によれば、最小限の部品点数によって積載紙の不揃いが防止される。
【図面の簡単な説明】
【図１】  本発明に係る枚葉輪転印刷機の排紙装置の側面図である。
【図２】  本発明に係る枚葉輪転印刷機の排紙装置の平面図である。
【図３】  本発明に係る枚葉輪転印刷機の排紙装置の要部を拡大して示す一部破断側面図である。
【図４】  本発明に係る枚葉輪転印刷機の排紙装置におけるエアの吹き付け状態を説明する模式図である。
【符号の説明】
４…スプロケット、５…排紙チェーン、８…排紙爪部材、９…パイル、１３…積載紙、１５…紙当て、１６…横当て、４３…エア吹きノズル、４５…吹き出しエア。
【図１】
0003913845.tif 000002
【図２】
0003913845.tif 000003
【図３】
0003913845.tif 000004
【図４】
0003913845.tif 000005